(57)【要約】      （修正有）【課題】容器内の内容物の略全量を注出させることができながら全量注出後のピストンの引き抜きを容易に行えるようにする。【解決手段】端に注出口を有し内部に粘性液状内容物が充填された可撓性資材からなる容器２を抱持可能とされた略筒状の容器装填部１４と、ピストンロッド１９により押しこまれるピストン２０と、このピストンロッドを所定ピッチずつ押動させる操作部を具有し、前記ピストン２０は前記容器２の内径より小径に形成された一対の固定板体２１、２１ａと、この固定板体２１、２１ａ間にあって前記ピストンロッド１９でその中心部を軸通され、かつ前記ピストンロッド１９の押圧時には前記一対の固定板体２１、２１ａの一側の板体２１ａに密接に重なりピストンロッド１９の引動時には前記固定板体２１、２１ａの他側の板体２１に傾斜姿勢で当接する揺動板２２とから形成してあるガン式ディスペンサとする。【選択図】図１
2005270771.tif 000002
【特許請求の範囲】
【請求項１】
一端に注出口を有し内部に粘性液状物、ペースト状物等の内容物が充填された可撓性資材からなる略筒状の容器を抱持可能とされた容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンは前記ピストンロッドに所定の間隔を取って軸通固定してある前期容器の内径により小径に形成された一対の固定板体と、この固定板体間にあって前記ピストンロッドでその中心部を軸通され、かつ前記ピストンロッドの押圧時には前記固定板体の一側の板体に密接に重なりピストンロッドの引動時には前記固定板体の他側の板体に傾斜姿勢で当接する揺動板とからなり、この揺動板は前記容器の長さ方向に可及的密に押圧嵌入可能な直径を有して形成してあることを特徴とするガン式ディスペンサ。
【請求項２】
前記ピストンの他側の固定板体は前記揺動板と相対する面をその軸通部の外周の一側から軸通部を経て該固定板体の他側の外縁へ漸次肉薄になるように傾斜面として形成してある請求項１記載のガン式ディスペンサ。
【請求項３】
前記ピストンの他側の固定板体の前記揺動板と相対する面をその軸通部から該固定板体の左右両方向の外縁へ漸次肉薄になるように傾斜面として形成してある請求項１記載のガン式ディスペンサ。
【請求項４】
前記ピストンの他側の固定板体の前記揺動板と相対する面の所定箇所に凸部を形成してあり、ピストンロッドの引動時には該凸部の先端と揺動板の面との衝接により揺動板が傾動可能とされている請求項１記載のガン式ディスペンサ。
【請求項５】
前記一対の固定板体を軸通するピストンロッドの軸径は他側の固定板体から一側の固定板体の方へ漸次太径に形成してあり、前記揺動板の中心部の軸通孔は少くとも前記ピストンロッドの太径軸部が嵌合可能な内径に穿孔してある請求項１乃至４記載のガン式ディスペンサ。
【発明の詳細な説明】
【技術分野】
【０００１】
本発明は、粘性を有する液状物またはペースト状物が充填されている容器からその内容物を注出するためのディスペンサ、特にガン式ディスペンサに関する。
【背景技術】
【０００２】
マヨネーズ、ケチャップ、蜂蜜、各種クリーム類、からし、その他粘性を有する液状物、ペースト状物等を食品に添加する際に、ハンバーガー、ホットドッグ等の外食用食品の量販店においては大量に処理する必要があることから上記の粘性液状物やペースト状物をその容器がディスペンサにより自動的に適量ずつ注出させるようにして販売時における能率化を図るようになされている。
例えば、上記従来のディスペンサの一つとして図１２（Ａ）、（Ｂ）に示すものがある。このディスペンサは、前記の内容物ａが充填された可撓性に富む薄いプラスチック製の容器ｂを外筒ｃ内に装填し、その容器ｂの底部ｄをピストンｅで押圧し、その容器ｂの底部ｄ側を胴部ｆ内に押し込むようにして内容物aを注出口ｇから押し出す構造のものとしてある（特許文献１）。
【特許文献１】特開平２−１３９３７７号公報
【発明の開示】
【発明が解決しようとする課題】
【０００３】
しかして上記構造による従来のディスペンサでは、ピストンeによる押動により容器ｂの胴部ｆが２重になるように折り込まれながら進入するので、容器ｂ内の内容物aを注出し終えたのちピストンeを引き戻すとき、折り込まれた胴部ｆがピストンeにからみついてピストンeをスムーズに引き抜くことが困難となり、量販店で使用するとき１本の容器ｂを使い終えた後の処理に手間どることになって、作業性、作業能率に支障をきたすという問題点があった。
また、この場合ピストンeの外径を使用後引き抜きやすい程度に小径にすると、容器ｂの底部ｄ側が折り込まれて行く際にその折り込まれる胴部ｆの周囲に内容物aが残留するとともに、ピストンeの背部側の胴部ｆ間に内容物aが入り込み、そのためピストンeを引き抜くときその内容物aが２つ折り状となっている胴部ｆに封じ込められて胴部ｆの内径が減少し、ピストンeの引き抜きが一層困難になるという問題に加え、使用後の容器ｂの廃棄処理時に内容物aが残ったままとなって、環境汚染等の別の問題をもたらすことになる。
【０００４】
以上の問題を解決する技法として本出願人は、先にピストン構造をその直径方向に拡縮自在にしたものを提案した（特願平２００３−０５３０１８号）。しかしながらこれとてピストン構造が複雑化するという新たに問題点を生じるものであった。
本発明はこれに鑑み、容器内に内容物が残留することなく略全量を注出させることができながら全量注出後のピストンの引き抜きを容易に行えるようにすると共にピストン構造を簡単なものにすることを課題としてなされたものである。
【課題を解決するための手段】
【０００５】
すなわち、上記課題を解決する手段として本発明は、
「（１）一端に注出口を有し内部に粘性液状物、ペースト状物等の内容物が充填された可撓性資材からなる略筒状の容器を抱持可能とされた容器装填部と、前記容器の底部を容器の長さ方向に押圧嵌入したとき内容積が略無くなるまでピストンロッドにより押し込まれるピストンと、このピストンを装着したピストンロッドを所定ピッチずつ押動させる操作部とを具有し、前記ピストンは前記ピストンロッドに所定の間隔を取って軸通・固定してある前記容器の内径より小径に形成された一対の固定板体と、この固定板体間にあって前記ピストンロッドでその中心部を軸通され、かつ前記ピストンロッドの押動時には前記固定板体の一側の板体に密接に重なりピストンロッドの引動時には前記固定板体の他側の板体に傾斜姿勢で当接する揺動板とからなり、この揺動板は前記容器の底部を容器の長さ方向に可及的密に押圧嵌入可能な直径を有して形成してあることを特徴とするガン式ディスペンサ。
（２）前記ピストンの他側の固定板体は前記揺動板と相対する面をその軸通部の外周の一側から軸通部を経て該固定板体の他側の外縁へ漸次肉薄になるように傾斜面として形成してある（１）のガン式ディスペンサ。
（３）前記ピストンの他側の固定板体の前記揺動板と相対する面をその軸通部から該固定板体の左右両方向への外縁へ漸次肉薄になるように傾斜面として形成してある（１）のガン式ディスペンサ。
（４）前記ピストンの他側の固定板体の前記揺動板と相対する面の所定箇所に凸部を形成してあり、ピストンロッドの引動時には該凸部の先端と揺動板の面との衝接により揺動板が傾動可能とされている（１）のガン式ディスペンサ。
（５）前記一対の固定板体を軸通するピストンロッドの軸径は他側固定板体から一側固定板体の方へ漸次太径に形成してあり、前記揺動板の中心部の軸通孔は少くとも前記太径に形成したピストンロッド軸部が嵌合可能な内径に穿孔してある（１）乃至（４）のガン式ディスペンサ。」である。
上記（１）の構造としたことにより、ピストンの押し込み時には揺動板が一側の固定板体に密接に重なるので、ピストンを容器の底部全域を押圧して容器の胴部内に可及的密に嵌入させ得る外径の形状で容器内に内容物が残留することなく注出できる。また、容器内の内容物を全量注出し終わったときにピストンロッドの引動によってピストンの揺動板は他側の固定板体の方へ傾き姿勢で当接するので、揺動板の外径は容器の胴部内径に対して実質的に小となり、（図５参照）、ピストンの外周と容器の胴部内との間に隙間Aが生じ、可及的密な接触状態は解除される。これによりピストンの容器内からの引抜きを容易に行うことができる。
【発明の効果】
【０００６】
本発明のガン式ディスペンサは、請求項１乃至４の構成により、簡単な構造のピストンになし得るばかりでなく、ピストンの押し込み時には容器底部を押圧して揺動板を容器の胴部内に可及的密に嵌入させ得る外径となる姿勢に保持させ、容器内の内容物を全量注出し終えた後はピストンの揺動板を傾け姿勢で引き抜くことができるので、容器内に内容物が残留することなく注出させることができると共に全量注出後のピストンの引き抜き操作を容易に行うことができる。
これにより使用済みの容器を廃棄するとき内容物が残留していないので廃棄物処理時の環境問題も生じることがない。また請求項５に記載の発明によれば、ピストンの押し込み時には揺動板の中心の軸通孔をピストンロッド軸に正確にかつ揺れることなく嵌合せしめることができると共にピストンの引き抜き時には揺動板は他側の固定板体の方（細軸）へ寄せられ揺動板の中心軸通孔とピストンロッド軸の軸通部の嵌合が緩くなるので容易に傾斜姿勢に至らしめることができる。
これによりピストンの押動と引動の操作を容易かつ正確に行うことができる。
【発明を実施するための最良の形態】
【０００７】
以下、図面を参照して本発明の各実施の形態について説明する。
【実施例】
【０００８】
［実施例１］
図１乃至図５は、本発明の、一実施の形態を示す図である。
図１は、本発明の一実施形態におけるガン式ディスペンサ１の一例の外観を示し、図２及び図３は本発明の一実施の形態における容器の外観とその要部を断面として示している。ガン式ディスペンサ１の構成は公知部分が多いため後述することにして、まず図３における容器２について説明する。
容器２は、樹脂材料によりブロー成形等で形成される可撓性に富む構造のもので、円筒状の胴部３の一端に注出口４が開口され、他端は底部５により閉鎖されており、前記注出口４には内容物の注出目的に叶う形状のノズルが切設されたシート６が貼布されている。その外面は使用時に剥離させるシールで封着される。
前記容器２の底部５は、前記注出口４が設けられる端部の内面形状に相似する形状に内方に突出する突出底部７を有し、容器２の胴部３の下端から所要の幅を有する凹溝８と、前記突出底部７の周縁と容器底部５の外周縁との間に外方に突出する1条の突条９とが周設されており、この突条９の裾部分と容器底部５の外周縁との間は環状の凹部１０とされている。したがって容器底部５が図1中のピストン２０で押圧されたとき前記凹溝８の容器底部５との境界部分８aが該凹溝８の存在により最先に内側に折り込まれる一方、前記突条９部分で均等に内方へ折り込まれることになる。
【０００９】
ところで、図１に示した前記ガン式ディスペンサ１の基本構成は概ね公知に属するもので、ここに示す形態は円筒を軸方向に２分割した一方の半割り形状を有する受部材１１を備え、その内部を前記容器２の胴部３の下半部を抱持可能な略半割円筒状とした容器装填部１４を具え、前記受部材１１の基端には固定ハンドル１５が固着され、この固定ハンドル１５にトリガレバー１６の基端部が軸１７により取りつけられて操作部が構成され、また受部材１１の先端には前記容器２の注出口４が突出するように嵌合し得るリング部材が固着されている。
前記固定ハンドル１５の基端部にはピストンロッド１９が挿通され、該固定ハンドル１５内に組込まれた周知のラチェット機構（図示省略）により前記トリガレバー１６を握って回動させたとき前期ピストンロッド１９を所定ピッチずつ間欠的に前進動させ、ラチェットを開放させることによりピストンロッド１９を引き戻すことができるようになっている。１８はその引き戻し用のハンドルである。
なお、前記容器装填部１４はその構成材料をステンレスやプラスチック等の保形性を有する資材であれば使用可能である。
【００１０】
前記ピストンロッド１９の先端には本発明ガン式ディスペンサに使用される前記容器２の底部５を押圧するピストン２０を具えている。
次にこのピストン２０の具体的構成例について説明する。図４及び図５は請求項２に記載のピストンの一実施形態を示すもので、ピストン２０はピストンロッド１９に所定間隔を取って軸通固定された一対の固定板体（２１，２１ａ）とこの固定板体（２１，２１ａ）の間にピストンロッド１９でその中心部を軸通された揺動板２２を具えている。固定板体２１，２１ａの直径はそれぞれ前記容器２の内径Cより小径Bに形成してあり、ピストンロッド１９の押動によって揺動板２２を押圧することになる一側の固定板体２１は略平板状に形成され、前記容器２の底部５に形成された突出底部７の外面側の凹み部分（図３参照）に可及的密に嵌合し得るような形状とされ、他側の固定板２１ａは揺動板２２と相対する面をその軸通部１２の外周の一側から固定板体２１ａの外縁部へ漸次肉薄になるようにその過半部が傾斜面２３として形成してある。（図４参照）
前記揺動板２２を軸通するピストンロッド１９の軸径は前記他側の固定板体２１ａから一側固定板体２１の方へ漸次太径に形成してあり、揺動板２２の中心部の軸通孔１２は少なくともピストンロッド１９の前記太径部１３が嵌合できる内径（D）として穿孔してある。
【００１１】
次に、上記ピストン２０を用いた時の本実施例の作用を説明する。
本実施例のガン式ディスペンサは上記の構成にされているので、前記容器２を容器充填部１４に抱持しておき操作部のトリガレバー１６を握って回動させることにより、ピストンロッド１９は容器２の方へ前進する、これを繰り返すことによりピストンロッド１９に装着してあるピストン２０の他側固定板２１ａが容器２の底部１７に衝接し、容器２内へ間欠的に押動される。次に揺動板２２が一側の固定板２１の押圧面と密接に重なると共に容器２の長さ方向に可及的密とされて間欠的に押圧嵌入される。同時に容器２の注出口４から内容物が一定量づつ注出される。容器２内の内容物が空になるまで注出された後、容器２内に嵌入されたピストン２０は容器２内から引き抜かれる。その際、まずディスペンサ１の引き戻し用のハンドル１９aをねじりまわして位置合せをすることでラチェット機構を開放してからピストンロッド１９を引き戻す。
ピストンロッド１９に引き戻し力が加わることによってピストン２０の揺動板２２は一側の固定板体２１から離れ他側の固定板体２１ａの方へ接近するが、他側固定板体２１ａの揺動板２２と相対する面には傾斜面２３が形成してあるので揺動板２２はこの傾斜面２３に当接し、これに添って傾斜姿勢とされる。このことで、揺動板２２の容器２の内径に対する相対的な直径は小となり、容器２と揺動板２２は可及的密な接触は解除され、容器２の内壁と揺動板２２の周縁との間に隙間Aが生じる。
この隙間Aが生じることにより、ピストン２０は容器２内から容易に引き抜かれる。その後容器２は容器装填部１４から取り出され、容器装填部１４には新たに容器２が装填され次の内容物の注出に備えられる。以下、同様の作用を繰り返す。
なお、本実施例における図４及び図５中の符号Ａは０．５ｍｍ、Ｂは４７．５５ｍｍ、Ｃは７８．７ｍｍ、Ｃ´は７７．７ｍｍの長さにしてあり、Ｒは揺動板２２の傾き角（１０．５度）を示すものである。
【００１２】
図６乃至図９は請求項４に記載の本発明におけるピストンの実施形態をそれぞれ示すもので、図６と図７は凸部２４を他側の固定板体２１ａの片半部の周縁に２ヶ所形成した本発明におけるピストンの他の実施形態を示す平面図と、断面説明図である。
また、図８と図９は凸部２４を他側の固定板体２１ａの片半部の面上に１ヶ所形成した本発明におけるピストンのさらに他の実施形態を示す平面図と断面図である。すなわち、ピストン２０他側の固定板体２１ａはその前記揺動板２２と相対する面の所定箇所に形成した凸部２４（図６では凸部２４，２４）によって、ピストンロッド１９の引動時には、ピストン２０が後退することで該凸部２４の先端が揺動板２２の面に衝接し、揺動板２２が傾動する構造としてある。
この実施形態の場合はいずれも、前記実施形態と同様に、ピストン２０の後退によって揺動板２２が凸部２４と衝接して傾斜姿勢となるので、容器２の、内周と揺動板２２の周縁に隙間Ａが生じることになり、ピストン２０は容器２内から容易に引き抜くことができる。
図１０及び１１は請求項３に記載の本発明におけるピストンの第４の実施形態を示すもので、図１０は正断面図であり、図１１は図１０の側断面図である。
図１０において、ピストン２０の他側の固定板体２１ａの揺動板２２と相対する面は、ピストンロッド１９の軸通部（中心）から左右両側へ漸次肉薄となる傾斜面２３，２３として形成してあり、ピストンロッド１９は図１１の側断面図に示すように前記左右の傾斜面２３，２３が交差して形成される交差線２４を介して他側の固定板体２１ａに嵌入固定してある。本実施形態における揺動板２２や一側の固定板２１、その他の構成等は前記の全ての実施形態と略同一であるので、同一符号を付しその説明は省略する。
【００１３】
本実施形態のピストン２０は上記の構成にしてあるので、ピストンロッド１９の引動時にはピストン２０の後退に伴って揺動板２２は他側の固定板体２１ａの方へ接近し、他側の固定板体２１ａの前記交差線２４と衝接する。その際、揺動板２２はその周縁に容器２の内壁との摩擦抵抗に差が生じることにより、左右のいずれかに傾き前記傾斜面２３に摺接されると共に容器２の内周と揺動板２２の周縁に隙間Ａが生じることでピストン２０は容器２内から容易に引き抜くことができる。
【図面の簡単な説明】
【００１４】
【図１】本発明によるガン式ディスペンサの一実施形態を示す斜視図。
【図２】本発明におけるガン式ディスペンサに用いる容器の一実施形態を示す斜視図。
【図３】図２の容器の要部を断面とした側面図。
【図４】本発明におけるピストンの一実施形態を示す断面説明図。
【図５】図４のピストンの容器内からの引抜き時の揺動板の傾動状態を鎖線で示す断面説明図。
【図６】本発明におけるピストンの他の実施形態を示す平面図。
【図７】本発明における図６のピストンの断面説明図。
【図８】本発明におけるピストンのさらに他の実施形態を示す平面図。
【図９】本発明における図８のピストンの断面説明図
【図１０】本発明におけるピストンの第４の実施形態を示す正断面説明図。
【図１１】本発明における図１０の側面説明図。
【図１２】（Ａ）、（Ｂ）は従来の技術を示す説明図。
【符号の説明】
【００１５】
１  ガン式ディスペンサ
２  容器
３  容器の胴部
４  注出口
５  容器底部
６  注出口の封緘用シート
７  突出底部
８  凹溝
９  突条
１０    凹部
１１    受部材
１２    軸通孔
１３    太径部
１４    容器装填部
１５    固定ハンドル
１６    トリガレバー
１７    軸
１８    ピストンロッド引戻し用ハンドル
１９    ピストンロッド
２０    ピストン
２１    一側固定板体
２１ａ  他側固定板体
２２    揺動板
２３    傾斜面
【図１】
2005270771.tif 000003
【図２】
2005270771.tif 000004
【図３】
2005270771.tif 000005
【図４】
2005270771.tif 000006
【図５】
2005270771.tif 000007
【図６】
2005270771.tif 000008
【図７】
2005270771.tif 000009
【図８】
2005270771.tif 000010
【図９】
2005270771.tif 000011
【図１０】
2005270771.tif 000012
【図１１】
2005270771.tif 000013
【図１２】
2005270771.tif 000014